(57)【特許請求の範囲】
【請求項１】
筺体と、
前記筺体の内部に収容される基板と、
先端部が前記筺体の外部に突出するように前記基板に保持され、放電を発生させる放電電極と、
前記筺体の内部で前記基板を絶縁封止する絶縁封止部と、
前記筺体の外部で前記放電電極を保護するための電極保護部と、を備え、
前記筺体には、前記放電電極の先端部側が挿通され、前記絶縁封止部で封止される開口部が設けられ、
前記電極保護部は、前記筺体から前記放電電極の先端部よりも突出して設けられ、前記放電電極の両側で互いに間隔を設けて対向する第１保護部および第２保護部を有し、
前記電極保護部の軸心部の根元側は前記絶縁封止部で封止される、放電装置。
【請求項２】
前記第１保護部および前記第２保護部のうち少なくとも一方には、前記放電電極へ向かう風が通過する孔が設けられる、請求項１に記載の放電装置。
【請求項３】
前記第１保護部および前記第２保護部は、前記絶縁封止部に封止されていない領域においては互いに分離している、請求項１または２に記載の放電装置。
【請求項４】
前記絶縁封止部は、前記放電電極の一部を封止する電極封止領域を有し、
前記電極封止領域は、前記筺体の外部に露出している、請求項１から３のいずれか１項に記載の放電装置。
【請求項５】
前記筺体内部に設けられ、前記放電電極との間で電界を形成する誘導電極をさらに備え、
前記誘導電極は、前記絶縁封止部で封止される、請求項１から４のいずれか１項に記載の放電装置。
【請求項６】
請求項１から５のいずれか１項に記載の放電装置と、前記放電装置から発生した放電生成物を外部へ送出する送風装置とを備える、電気機器。
【発明の詳細な説明】
【技術分野】
【０００１】
この発明は放電装置およびそれを用いた電気機器に関する。
【背景技術】
【０００２】
従来より、イオン発生装置は、放電により針状の放電電極からイオンを発生させる。特許文献１に記載の空気調和機は、送風機の送風方向と垂直かつ、その先端が吹出口の間口中央部を向くように互いに並行して突設される複数本の針状のマイナスイオン発生電極を有する。複数の針状電極は吹出口間口方向に対して互いに平行となるように配置され、高電圧が印加された針状電極と接地された針状電極の高さを異なる構成としている。
【０００３】
また、複数の針状電極を吹出口上方向へ向けて配置し、さらに針状電極を保護する格子状の籠で覆っている。このように格子状の籠で覆うことにより、格子状の籠は、通風抵抗が増大しないように、指が入らない程度の格子間距離を持ちつつ、できるだけ細くされている。
【先行技術文献】
【特許文献】
【０００４】
【特許文献１】特開２００６−２８４１６４号公報
【発明の概要】
【発明が解決しようとする課題】
【０００５】
ところで、針状電極は使用を続けると、帯電した塵埃等が付着し、放電に悪影響を与えるおそれがあるため、使用環境によっては清掃ブラシ等を用いて清掃を行う必要がある。ここで、特許文献１に記載の空気調和機のように、イオンを発生させる針状電極を細かい格子状の籠で覆ってしまうと、清掃ブラシが格子状の籠の中に入りにくく、清掃作業を効率よく行うことが困難である。
【０００６】
それゆえに、この発明の主たる目的は、放電電極に指が触れにくくするとともに、放電電極の清掃を容易に行うことが可能な放電装置を提供することである。
【課題を解決するための手段】
【０００７】
この発明に係る放電装置は、筺体と、筺体の内部に収容される基板と、先端部が筺体の外部に突出するように基板に保持され、放電を発生させる放電電極と、筺体の内部で基板を絶縁封止する絶縁封止部と、筺体の外部で放電電極を保護するための電極保護部と、を備える。筺体には、放電電極の先端部側が挿通され、絶縁封止部で封止される開口部が設けられ、電極保護部は、筺体から放電電極の先端部よりも突出して設けられ、放電電極の両側で互いに間隔を設けて対向する第１保護部および第２保護部を有し、電極保護部の軸心部の根元側は絶縁封止部で封止される。
【０００８】
好ましくは、第１保護部および第２保護部のうち少なくとも一方には、放電電極へ向かう風が通過する孔が設けられる。
【０００９】
好ましくは、第１保護部および第２保護部は、絶縁封止部に封止されていない領域においては互いに分離している。
【００１０】
好ましくは、絶縁封止部は、放電電極の一部を封止する電極封止領域を有し、電極封止領域は、筺体の外部に露出している。
【００１１】
好ましくは、筺体内部に設けられ、針状電極との間で電界を形成する誘導電極をさらに備える。誘導電極は、絶縁封止部で封止される。
【００１２】
また、この発明に係る電気機器は、上記放電装置と、放電装置から発生した放電生成物を外部へ送出する送風装置とを備える。
【発明の効果】
【００１３】
この発明によれば、放電電極に指が触れにくくするとともに、放電電極の清掃を容易に行うことができる。
【図面の簡単な説明】
【００１４】
【図１】本発明の実施の形態１によるイオン発生装置の正面図
【図２】本発明の実施の形態１によるイオン発生装置の底面図
【図３】本発明の実施の形態１によるイオン発生装置の斜視図
【図４】図１のＡ−Ａ線断面図
【図５】図１に示したイオン発生装置の構成を示す回路図
【図６】図１に示したイオン発生装置を用いた空気清浄機の構成を示す断面図
【図７】本発明の実施の形態２によるイオン発生装置の斜視図
【図８】本発明の実施の形態３によるイオン発生装置の斜視図
【図９】本発明の実施の形態４によるイオン発生装置の斜視図
【図１０】本発明の実施の形態５によるイオン発生装置の斜視図
【図１１】本発明の実施の形態６によるイオン発生装置の斜視図
【図１２】本発明の実施の形態７によるイオン発生装置の斜視図
【図１３】本発明の実施の形態８によるイオン発生装置の斜視図
【発明を実施するための形態】
【００１５】
以下、本発明の実施の形態について、図を参照して詳細に説明する。なお、以下に示す実施の形態においては、同一のまたは共通する部分について図中同一の符号を付し、その説明は繰り返さない。
【００１６】
（実施の形態１）
図１は本発明の実施の形態によるイオン発生装置の正面図である。図２，図３はそれぞれ底面図，斜視図である。図４は図１のＡ−Ａ線断面図である。
【００１７】
放電装置としてのイオン発生装置は、主として、正イオンを発生させるための放電電極としての針状電極１１と、負イオンを発生させるための放電電極としての針状電極１２と、針状電極１１との間に電界を形成するための誘導電極１３と、針状電極１２との間に電界を形成するための誘導電極１４と、プリント基板３１，３２と、略直方体状の筺体４０と、針状電極１１，１２の先端部を覆う電極保護部２０とを備える。
【００１８】
筺体４０は、正面視略矩形であり、筺体本体４１と、蓋体４２とで構成される。筺体本体４１は、平面視略矩形の基板設置面４３を有し、基板設置面４３の一方面（図４中の下面）の四辺から筺体壁面４６が延出している。筺体本体は、基板設置面４３と筺体壁面４６とで下方が開口している箱状に形成されている。基板設置面４３の他方面（図４中の上面）には、筺体４０の長手方向の両側にそれぞれ角筒状を形成するように壁面４７が延出している。筺体４０には、筺体４０の長手方向の両側にそれぞれ壁面４７で囲われた開口部４４が形成される。筺体４０はさらに略矩形の板状をなす蓋体４２を有する。蓋体４２は、筺体本体の下方に形成された開口を覆う。
【００１９】
プリント基板３１，３２は、所定の間隔を開けて筺体４０の内部に図４中の上下に平行に配置されている。プリント基板３１は略矩形をなし、基板設置面４３の一方面側に配置される。プリント基板３２は略矩形をなし、基板設置面４３の他方面側に配置される。プリント基板３１，３２の２枚の基板で基板設置面４３を挟み込むように配置されている。
【００２０】
針状電極１１，１２は、プリント基板３１，３２に対して垂直に設けられている。すなわち、針状電極１１の基端部（根元部）はプリント基板３１の孔に挿通されており、その軸心部は筺体４０に設けられた孔４５の中心およびプリント基板３２の孔３２ａの中心を貫通している。また、針状電極１２の基端部はプリント基板３１の孔に挿嵌されており、その軸心部は筺体４０に設けられた孔４５の中心およびプリント基板３２の孔３２ａの中心を貫通している。プリント基板３１で筺体４０に設けられた孔４５は塞がれる。針状電極１１，１２のそれぞれの基端部は、半田によってプリント基板３１に固定されている。
【００２１】
針状電極１１，１２のそれぞれの先端部は、鋭く尖った形状をしている。なお、プリント基板は複数に分割し、針状電極１１と針状電極１２とをそれぞれ別の基板に設けてもよい。針状電極１１と針状電極１２とは所定の間隔をあけてプリント基板３１上に設けられている。本実施形態では針状電極１１と針状電極１２との間隔を１０２ｍｍとしている。なお、針状電極１１，１２のそれぞれの先端部は、先端が鋭く尖った形状をしていなくてもよい。
【００２２】
誘導電極１３，１４は、プリント基板３２の長手方向の一方端部の表面および他方端部の表面に、それぞれプリント基板３１の配線層を用いて、針状電極１１，１２の周囲を囲繞する環状に形成されている。誘導電極１３，１４の内側には、それぞれプリント基板３２を貫通する孔３２ａが開口されている。なお、誘導電極は、環状に形成されていなくてもよい。
【００２３】
電極保護部２０は、筺体４０の長手方向の一方端部の針状電極１１と、他方端部の針状電極１２のそれぞれに対応するように２箇所設けられている。それぞれの電極保護部は、針状電極１１，１２の先端部の両側で互いに間隔を設けて対向する第１保護部２１および第２保護部２２を有する。第１保護部２１と第２保護部２２とは、筺体４０の短手方向に針状電極１１，１２を挟んで並設されている。第１保護部２１，第２保護部２２は、それぞれ筺体４０から外部に突出しており、針状電極１１，１２よりも外側に突出している。
【００２４】
第１保護部２１および第２保護部２２は、それぞれ天板２１ａ，支持部２１ｂおよび天板２２ａ，支持部２２ｂから構成される。天板２１ａ，２２ａは短冊状をなし、天板２１ａ，２２ａの両端から筺体４０の方へそれぞれ支持部２１ｂ，２２ｂが２本ずつ延出している。第１保護部２１ａおよび第２保護部２２ｂは、アーチ状をなしており、２本の支持部２１ｂ，２２ｂの間には開口が形成されている。本実施形態におけるイオン発生装置を筺体４０の短手方向から見たとき、支持部２１ｂ，２２ｂの間に設けられた開口から針状電極１１，１２の先端が視認可能である。
【００２５】
すなわち、筺体４０の長辺の方向をＸ方向とし、筺体４０の短辺の方向をＹ方向とし、筺体４０から針状電極１１，１２が突出している方向をＺ方向とすると、２本の針状電極１１，１２はＺ方向に向けられてＸ方向に配列され、筺体４０から突出している。また、電極保護部２０には、Ｙ方向から針状電極１１，１２が見えるように開口が設けられている。本実施の形態では、Ｙ方向から針状電極１１，１２が見えるように開口が設けられているが、Ｘ方向から針状電極１１，１２が見えるように開口を設けてもよい。
【００２６】
電極保護部２０は、支持部２１ｂ，２２ｂがプリント基板３２の表面に載置され、基板設置面４３との間でプリント基板３２を挟み込むように配置されている。図示しないが、支持部２１ｂ，２２ｂは筺体４０側の端部（根元側）で互いに繋がって一体に形成されている。なお、支持部２１ｂ，２２ｂは互いに完全に独立した部材として形成されていてもよい。
【００２７】
プリント基板３１は、基板設置面４３の一方面側（針状電極１１，１２の先端部が突出する側とは反対側）から筺体４０に設けられた孔４５を塞ぐように設けられている。これにより基板設置面４３と壁面４７とで囲われた空間は、開口部４４を除いて密封されている。開口部４４からエポキシ樹脂を充填し、開口部４４を封止することで絶縁封止部Ｍを形成する。図１および図４において、絶縁封止部Ｍは斜線で示している。
【００２８】
絶縁封止部Ｍは、プリント基板３２および誘導電極１３,１４を封止している。また、絶縁封止部Ｍは、放電電極１１，１２の基端部側を封止している。また、絶縁封止部Ｍは、第１保護部２１および第２保護部の根元側を封止している。本実施形態では、第１保護部２１の支持部２１ｂと第２保護部２２の支持部２２ｂとは端部で互いに繋がって一体となっているが、一体となっている部分は、絶縁封止部Ｍによって封止されている。なお、絶縁封止するのはエポキシ樹脂に限るものではなく、その他の絶縁封止用の材料を用いてもよい。
【００２９】
本実施形態では、図１および図３に示すように、正イオンを発生させる針状電極１１が設けられている側と、負イオンを発生させる針状電極１２が設けられている側とで、それぞれ独立して絶縁封止部Ｍが設けられている。針状電極１１の基端部側を封止する絶縁封止部は、針状電極１２の基端部側を封止する絶縁封止部と所定間隔をあけて離間して設けられている。
【００３０】
筺体本体４１と、蓋体４２とで囲まれる空間には、プリント基板３１および後述する電源回路３３、昇圧トランス３４、ダイオード３５，３６などの回路部品が設けられている。筺体本体４１と、蓋体４２とで囲まれる空間は、高電圧を発生させる昇圧トランスが配置されるため、エポキシ樹脂で絶縁封止されている。絶縁封止するのはエポキシ樹脂に限るものではなく、その他の絶縁封止用の材料を用いてもよい。
【００３１】
図５は、本実施形態におけるイオン発生装置の構成を示す回路図である。図５において、イオン発生装置は、針状電極１１，１２および誘導電極１３，１４の他に、電源端子Ｔ１、接地端子Ｔ２、ダイオード３５，３６および昇圧トランス３４を備える。図５の回路のうちの針状電極１１，１２および誘導電極１３，１４以外の部分は図示していない。
【００３２】
電源端子Ｔ１および接地端子Ｔ２には、それぞれ直流電源の正極および負極が接続される。電源端子Ｔ１には直流電源電圧（たとえば＋１２Ｖまたは＋１５Ｖ）が印加され、接地端子Ｔ２は接地される。電源端子Ｔ１および接地端子Ｔ２は、電源回路３３を介して、昇圧トランス３４に接続される。
【００３３】
昇圧トランス３４は、１次巻線３４ａおよび２次巻線３４ｂを含む。２次巻線３４ｂの一方端子は誘導電極１３，１４に接続され、その他方端子はダイオード３５のアノードおよびダイオード３６のカソードに接続される。ダイオード３５のカソードは針状電極１１の根元側の基端部に接続され、ダイオード３６のアノードは針状電極１２の根元側の基端部に接続される。
【００３４】
次に、このイオン発生装置の動作について説明する。電源端子Ｔ１および接地端子Ｔ２間に直流電源電圧が印加されると、電源回路３３が有するコンデンサ（不図示）に電荷が充電される。コンデンサに充電された電荷は、昇圧トランス３４の１次巻線３４ａを介して放電され、１次巻線３４ａにはインパルス電圧が発生する。
【００３５】
１次巻線３４ａにインパルス電圧が発生すると、２次巻線３４ｂに正および負の高電圧パルスが交互に減衰しながら発生する。正の高電圧パルスはダイオード３５を介して針状電極１１に印加され、負の高電圧パルスはダイオード３６を介して針状電極１２に印加される。これにより、針状電極１１，１２の先端でコロナ放電が発生し、それぞれ正イオンおよび負イオンが発生する。
【００３６】
なお、正イオンは、水素イオン（Ｈ＋）の周囲に複数の水分子がクラスター化したクラスターイオンであり、Ｈ＋（Ｈ２Ｏ）ｍ（ただし、ｍは任意の自然数である）と表わされる。また負イオンは、酸素イオン（Ｏ２−）の周囲に複数の水分子がクラスター化したクラスターイオンであり、Ｏ２−（Ｈ２Ｏ）ｎ（ただし、ｎは０または任意の自然数である）と表わされる。また、正イオンおよび負イオンを室内に放出すると、両イオンが空気中を浮遊するカビ菌やウィルスの周りを取り囲み、その表面上で互いに化学反応を起こす。その際に生成される活性種の水酸化ラジカル（・ＯＨ）の作用により、浮遊カビ菌などが除去される。
【００３７】
図６は、図１〜図４に示したイオン発生装置を用いた空気清浄機の構成を示す断面図である。図６において、この空気清浄機では、本体５０の下部の背面に吸込口５０ａが設けられ、本体５０の上部の背面および前面にそれぞれ吹出口５０ｂ，５０ｃが設けられている。また、本体５０の内部にはダクト５１が設けられており、ダクト５１の下端の開口部は吸込口５０ａに対向して設けられ、ダクト５１の上端は吹出口５０ｂ，５０ｃに接続されている。
【００３８】
ダクト５１の下端の開口部にはクロスフローファン５２が設けられ、ダクト５１の中央部にはイオン発生装置１０が設けられている。イオン発生装置１０は、図１〜図４で示したものである。イオン発生装置１０の筺体４０はダクト５１の外壁面に固定され、その針状電極１１，１２および電極保護部１２はダクト５１の壁を貫通してダクト５１内に突出している。２本の針状電極１１，１２は、ダクト５１内の空気が流れる方向（Ｙ方向）と直交する方向（Ｘ方向）に配列されている。
【００３９】
また、吸込口５０ａには樹脂製の格子状のグリル５４が設けられており、グリル５４の内側に網目状の薄いフィルタ５５が貼り付けられている。フィルタ５５の奥にはクロスフローファン５２に異物やユーザーの指が入り込まないようにファンガード５６が設けられている。
【００４０】
クロスフローファン５２が回転駆動されると、室内の空気は吸込口５０ａを介してダクト５１内に吸込まれる。吸込まれた空気に含まれるカビ菌などは、イオン発生装置１０によって生成されたイオンによって除去される。イオン発生装置１０を通過した空気は、吹出口５０ｂ，５０ｃを介してイオンとともに室内に放出される。
【００４１】
針状電極１１，１２に高電圧が印加されると、針状電極１１，１２と誘導電極１３，１４との間で電界が形成され、針状電極１１，１２の先端部でコロナ放電が発生してイオンが発生する。ここで、針状電極１１，１２の先端の直ぐ近傍に電極保護部２０があると、針状電極１１，１２と誘導電極１３，１４との間で発生する電界が阻害される。しかし、本実施形態では、第１保護部２１および第２保護部２２が針状電極１１，１２の先端部の両側で互いに間隔を設けて対向するように配置されており、針状電極１１，１２の先端部周辺を塞いでいない。これにより針状電極１１，１２と誘導電極１３，１４との間で発生する電界が電極保護部２０によって阻害されるのを抑制することができる。
【００４２】
また、イオン発生装置１０は、所定時間運転した後にユーザーによって交換されるものである。ユーザーはイオン発生装置１０を交換するとき、空気清浄装置の本体５０の背面にある蓋体５０ｄを外してダクト５１に設置されたイオン発生装置１０にアクセスできる。このとき、第１保護部２１および第２保護部２２が針状電極１１，１２の先端部よりも外側に突出しているので、ユーザーがイオン発生装置１０を持った場合でも、ユーザーの指は第１保護部２１および第２保護部２２にあたり、針状電極１１，１２の先端部に触れにくくなり、ユーザーが指に怪我をすることはない。
【００４３】
なお、ユーザーによる交換を行わないイオン発生装置もあるが、その場合においても本願発明のイオン発生装置１０であれば、その製造時に作業員が針状電極１１，１２の先端部に触れて指に怪我をすることはない。
【００４４】
以上のように、針状電極１１，１２の先端部が筺体４０から突出しているので、針状電極１１，１２の先端部で発生したイオンを筺体４０外に効率良く放出することができる。また、針状電極１１，１２の先端部を両側から覆う電極保護部２０を設けたので、針状電極１１，１２の先端部に触れてユーザーが指などに怪我をすることを防止することができる。
【００４５】
また、Ｚ方向からそれぞれ針状電極１１，１２の先端が見えるように、針状電極１１，１２を第１保護部２１および第２保護部２２ｂで挟み込んだので、針状電極１１，１２の先端部の周辺に発生する電界が電極保護部２０で阻害されてイオン発生量が減少するのを防止することができる。また、Ｙ方向から針状電極１１，１２が見えるように電極保護部２０に開口を設けたので、Ｙ方向に風を送ることにより、イオンを効率良く送出することができる。
【００４６】
針状電極１１，１２には、高電圧が印加されるため、針状電極周辺の帯電した塵埃などが針状電極に引きつけられて付着することがある。付着物が針状電極１１，１２に蓄積されると、コロナ放電が起こりにくくなるばかりでなく、異常放電が起きたり、針状電極１１，１２と筺体４０との間、または、針状電極１１，１２と誘導電極１３，１４との間で電流のリーク（漏洩）が発生する原因となることがある。
【００４７】
詳説すると、針状電極１１，１２についた付着物が蓄積することで、針状電極１１，１２と筺体４０との間の空間距離が短くなる。このとき、針状電極１１，１２に高電圧が印加されると、針状電極１１，１２と筺体４０との間で絶縁破壊が起こることでリークが発生する。この現象は、特にイオン発生装置を使用する空間の空気中に不純物が多く含まれている場合に起こりやすい。
【００４８】
筺体４０の開口部４４は、絶縁封止部Ｍで封止されており、筺体４０の内部に塵埃などが入り込む隙間が埋められている。針状電極１１，１２の根元部側は絶縁封止部Ｍに包み込まれるように封止されているため、筺体４０の外部から開口部４４を見ると図３に示すように絶縁封止部Ｍの中に針状電極１１，１２の基端部側が完全に埋まって状態になっている。
【００４９】
すなわち、絶縁封止部Ｍは、針状電極１１，１２の軸心部の周囲を封止しており、筺体４０の内部に不純物が入らない構造となっている。これにより、針状電極１１，１２と、誘導電極１３，１４をはじめとする筺体４０内部に設けられた部品との間での不純物の蓄積によるリーク現象を防ぎ、安定してイオンを発生させることができる。
【００５０】
一般的に針状電極１１，１２と、誘導電極１３，１４との間でも同様に付着物の蓄積によるリーク現象は起こり得る。しかしながら、本実施形態では、絶縁封止部Ｍは、針状電極１１，１２が設けられているプリント基板３１、および誘導電極１３，１４が設けられているプリント基板３２を封止しており、針状電極１１，１２と、誘導電極１３，１４との間には付着物が蓄積することはなく、針状電極１１，１２と、誘導電極１３，１４との間でのリーク現象を防ぐことができる。
【００５１】
本実施形態では、絶縁封止部Ｍは、正イオンを発生させる針状電極１１の一部（基端部側）を封止する正イオン側の絶縁封止部と、負イオンを発生させる針状電極１２の一部（基端部側）を封止する負イオン側の絶縁封止部とがそれぞれ独立して所定間隔を隔てて設けられている。これにより、正イオンを発生させる針状電極１１が設けられている側と、負イオンを発生させる針状電極１２が設けられている側とを、異なる絶縁封止部で封止することになる。すなわち、同じ一つの絶縁封止部で互いに異なる極性の電極を封止することがない。そのため、絶縁封止部の表面で起こり得る沿面リークを防止することができる。
【００５２】
第１保護部２１および第２保護部２２は、針状電極１１，１２の先端部の両側で互いに間隔を設けて対向するように配置されている。これにより、第１保護部２１と第２保護部２２の間に清掃ブラシなどの清掃部材を通すことで、効率よく針状電極１１，１２を清掃することができる。
【００５３】
清掃ブラシは、第１保護部と第２保護部にガイドされることでユーザーは針状電極１１，１２を容易に清掃することができる。また、針状電極１１，１２の先端部だけでなく、針状電極１１，１２の先端部以外の軸芯部も清掃することができる。
【００５４】
針状電極１１，１２の基端部側を絶縁封止する絶縁封止部Ｍが筺体４０の開口部４４から露出している。針状電極１１，１２の絶縁封止部Ｍから突出している軸心部のうちの根元側の部分の清掃も容易に行うことができる。絶縁封止部Ｍの露出している表面は非常に平滑度が高いため、清掃ブラシによる清掃を容易に行うことができる。
【００５５】
また、プリント基板３２の配線層を用いて誘導電極１３，１４を形成したので、誘導電極１３，１４を低コストで形成することができ、イオン発生装置の低コスト化を図ることができる。
【００５６】
また、本実施形態では、プリント基板３２の配線層を用いて誘導電極１３，１４を形成したが、誘導電極１３，１４のそれぞれを金属板で形成してもよい。また、誘導電極１３，１４の各々は、環状でなくてもかまわない。
【００５７】
また、図６には本実施形態のイオン発生装置を用いた空気清浄機の構成を示したが、本実施形態のイオン発生装置を用いる電気機器としては、空気清浄機以外にも例えば空気調和機、イオン発生機、除湿器、加湿器、冷蔵庫、ファンヒータ、洗濯乾燥機、掃除機、殺菌装置などがある。
【００５８】
（実施の形態２）
図７は、本発明の実施の形態２によるイオン発生装置を示す斜視図であって、図３と対比される図である。図７において、このイオン発生装置が図３のイオン発生装置と異なる点は、電極保護部２０の形状が異なる点である。電極保護部２０以外の構成については、実施の形態１におけるイオン発生装置と同様であるため、説明は省略する。
【００５９】
電極保護部２０は、筺体４０の長手方向の一方端部の針状電極１１と、他方端部の針状電極１２のそれぞれに対応するように２箇所設けられている。それぞれの電極保護部は、針状電極１１，１２の先端部の両側で互いに間隔を設けて対向する第１保護部２１および第２保護部２２を有する。第１保護部２１と第２保護部２２とは、筺体４０の短手方向に針状電極１１，１２を挟んで並設されている。第１保護部２１，第２保護部２２は、それぞれ筺体４０から外部に突出しており、針状電極１１，１２よりも外側に突出している。
【００６０】
第１保護部２１および第２保護部２２は、それぞれ天板２１ａ，支持部２１ｂおよび天板２２ａ，支持部２２ｂから構成される。天板２１ａ，２２ａは短冊状をなし、天板２１ａ，２２ａの両端および中央部の３箇所から筺体４０の方へそれぞれ支持部２１ｂ，２２ｂが延出している。第１保護部２１ａおよび第２保護部２２ｂは、アーチ状の中央部にさらに支柱を備えた構造をなしており、３本の支持部２１ｂ，２２ｂの間にはそれぞれ２箇所の開口が形成されている。本実施形態におけるイオン発生装置を筺体４０の短手方向から見たとき、針状電極１１，１２の先端は、中央の支柱となっている支持部２２ｂで隠れるが、支持部２１ｂ，２２ｂに設けられた開口から風が通った場合は、針状電極１１，１２のすぐ近傍を風が流れるため、イオンは効率よく発生する。
【００６１】
（実施の形態３）
図８は、本発明の実施の形態３によるイオン発生装置を示す斜視図であって、図３と対比される図である。図８において、このイオン発生装置が図３のイオン発生装置と異なる点は、電極保護部２０の形状が異なる点である。電極保護部２０以外の構成については、実施の形態１におけるイオン発生装置と同様であるため、説明は省略する。
【００６２】
電極保護部２０は、筺体４０の長手方向の一方端部の針状電極１１と、他方端部の針状電極１２のそれぞれに対応するように２箇所設けられている。それぞれの電極保護部は、針状電極１１，１２の先端部の両側で互いに間隔を設けて対向する第１保護部２１および第２保護部２２を有する。第１保護部２１と第２保護部２２とは、筺体４０の短手方向に針状電極１１，１２を挟んで並設されている。第１保護部２１，第２保護部２２は、それぞれ筺体４０から外部に突出しており、針状電極１１，１２よりも外側に突出している。
【００６３】
第１保護部２１および第２保護部２２は、それぞれ天板２１ａ，支持部２１ｂおよび天板２２ａ，支持部２２ｂから構成される。天板２１ａ，２２ａは短冊状をなし、天板２１ａ，２２ａの両端および中央部の３箇所から筺体４０の方へそれぞれ支持部２１ｂ，２２ｂが延出している。第１保護部２１ａおよび第２保護部２２ｂは、アーチ状の中央部にさらに支柱を備えた構造をなしており、３本の支持部２１ｂ，２２ｂの間にはそれぞれ２箇所の開口が形成されている。本実施形態におけるイオン発生装置を筺体４０の短手方向から見たとき、針状電極１１，１２の先端は、中央の支柱となっている支持部２２ｂで隠れるが、支持部２１ｂ，２２ｂに設けられた開口から風が通った場合は、針状電極１１，１２のすぐ近傍を風が流れるため、イオンは効率よく発生する。
【００６４】
（実施の形態４）
図９は、本発明の実施の形態４によるイオン発生装置を示す斜視図であって、図３と対比される図である。図９において、このイオン発生装置が図３のイオン発生装置と異なる点は、電極保護部２０の形状が異なる点である。電極保護部２０以外の構成については、実施の形態１におけるイオン発生装置と同様であるため、説明は省略する。
【００６５】
電極保護部２０は、筺体４０の長手方向の一方端部の針状電極１１と、他方端部の針状電極１２のそれぞれに対応するように２箇所設けられている。それぞれの電極保護部は、針状電極１１，１２の先端部の両側で互いに間隔を設けて対向する第１保護部２１および第２保護部２２を有する。第１保護部２１と第２保護部２２とは、筺体４０の短手方向に針状電極１１，１２を挟んで並設されている。第１保護部２１，第２保護部２２は、それぞれ筺体４０から外部に突出しており、針状電極１１，１２よりも外側に突出している。
【００６６】
第１保護部２１および第２保護部２２は、それぞれ天板２１ａ，支持部２１ｂおよび天板２２ａ，支持部２２ｂから構成される。天板２１ａ，２２ａは短冊状をなし、天板２１ａ，２２ａの一方端から筺体４０の方へそれぞれ支持部２１ｂ，２２ｂが延出している。第１保護部２１ａおよび第２保護部２２ｂは、Ｌ字型をなしており、天板２１ａ，２２ａの下方（筺体４０側）には開口が形成されている。本実施形態におけるイオン発生装置を筺体４０の短手方向から見たとき、前述の開口から針状電極１１，１２の先端が視認可能である。
【００６７】
（実施の形態５）
図１０は、本発明の実施の形態５によるイオン発生装置を示す斜視図であって、図３と対比される図である。図１０において、このイオン発生装置が図３のイオン発生装置と異なる点は、電極保護部２０の形状が異なる点である。電極保護部２０以外の構成については、実施の形態１におけるイオン発生装置と同様であるため、説明は省略する。
【００６８】
電極保護部２０は、筺体４０の長手方向の一方端部の針状電極１１と、他方端部の針状電極１２のそれぞれに対応するように２箇所設けられている。それぞれの電極保護部は、針状電極１１，１２の先端部の両側で互いに間隔を設けて対向する第１保護部２１および第２保護部２２を有する。第１保護部２１と第２保護部２２とは、筺体４０の短手方向に針状電極１１，１２を挟んで並設されている。第１保護部２１，第２保護部２２は、それぞれ筺体４０から外部に突出しており、針状電極１１，１２よりも外側に突出している。
【００６９】
第１保護部２１および第２保護部２２は、それぞれ天板２１ａ，支持部２１ｂおよび天板２２ａ，支持部２２ｂから構成される。天板２１ａ，２２ａは短冊状をなし、天板２１ａ，２２ａの中央部から筺体４０の方へそれぞれ支持部２１ｂ，２２ｂが延出している。第１保護部２１ａおよび第２保護部２２ｂは、Ｔ字型をなしており、天板２１ａ，２２ａの下方（筺体４０側）領域における支持部２１ｂ，２２ｂの両端には開口が形成されている。本実施形態におけるイオン発生装置を筺体４０の短手方向から見たとき、針状電極１１，１２の先端は、中央の支柱となっている支持部２２ｂで隠れるが、支持部２１ｂ，２２ｂに設けられた開口から風が通った場合は、針状電極１１，１２のすぐ近傍を風が流れるため、イオンは効率よく発生する。
【００７０】
（実施の形態６）
図１１は、本発明の実施の形態６によるイオン発生装置を示す斜視図であって、図３と対比される図である。図１１において、このイオン発生装置が図３のイオン発生装置と異なる点は、電極保護部２０の形状が異なる点である。電極保護部２０以外の構成については、実施の形態１におけるイオン発生装置と同様であるため、説明は省略する。
【００７１】
電極保護部２０は、筺体４０の長手方向の一方端部の針状電極１１と、他方端部の針状電極１２のそれぞれに対応するように２箇所設けられている。それぞれの電極保護部は、針状電極１１，１２の先端部の両側で互いに間隔を設けて対向する第１保護部２１および第２保護部２２を有する。第１保護部２１と第２保護部２２とは、針状電極１１，１２を挟んで並設されている。第１保護部２１，第２保護部２２は、それぞれ筺体４０から外部に突出しており、針状電極１１，１２よりも外側に突出している。
【００７２】
第１保護部２１および第２保護部２２は、それぞれ天板２１ａ，支持部２１ｂおよび天板２２ａ，支持部２２ｂから構成される。第１保護部２１は棒状をなし、先端部が天板２１ａ、先端部以外は支持部２１ｂとなる。第２保護部２２の天板２２ｂはＬ字型の板状をなし、天板２２ｂの両端部およびＬ字型の屈曲部の３箇所から筺体４０の方へ支持部２２ｂが延出している。３本の支持部２２ｂの間には２箇所の開口が形成されている。本実施形態におけるイオン発生装置を筺体４０の短手方向から見たとき、支持部２２ｂの間に設けられた開口から針状電極１１，１２の先端が視認可能である。また、本実施形態におけるイオン発生装置を筺体４０の長手方向から見たときも、支持部２２ｂの間に設けられた開口から針状電極１１，１２の先端が視認可能である。
【００７３】
第１保護部２１および第２保護部２２は、針状電極１１，１２の先端部の両側で互いに間隔を設けて対向するように配置されている。これにより、第１保護部２１と第２保護部２２の間に清掃ブラシなどの清掃部材を通すことで、効率よく針状電極１１，１２を清掃することができる。本実施の形態によるイオン発生装置においては、清掃ブラシを直線状に通すのではなく、Ｌ字状に通すことで針状電極１１，１２の清掃を効率よく行うことができる。
【００７４】
（実施の形態７）
図１２は、本発明の実施の形態７によるイオン発生装置を示す斜視図であって、図３と対比される図である。図１２において、このイオン発生装置が図３のイオン発生装置と異なる点は、電極保護部２０の形状が異なる点である。電極保護部２０以外の構成については、実施の形態１におけるイオン発生装置と同様であるため、説明は省略する。
【００７５】
電極保護部２０は、筺体４０の長手方向の一方端部の針状電極１１と、他方端部の針状電極１２のそれぞれに対応するように２箇所設けられている。それぞれの電極保護部は、針状電極１１，１２の先端部の両側で互いに間隔を設けて対向する第１保護部２１および第２保護部２２を有する。第１保護部２１と第２保護部２２とは、筺体４０の長手方向に針状電極１１，１２を挟んで並設されている。第１保護部２１，第２保護部２２は、それぞれ筺体４０から外部に突出しており、針状電極１１，１２よりも外側に突出している。
【００７６】
第１保護部２１および第２保護部２２は、それぞれ天板２１ａ，支持部２１ｂおよび天板２２ａ，支持部２２ｂから構成される。天板２１ａ，２２ａは短冊状をなし、天板２１ａ，２２ａの両端から筺体４０の方へそれぞれ支持部２１ｂ，２２ｂが２本ずつ延出している。第１保護部２１ａおよび第２保護部２２ｂは、アーチ状をなしており、２本の支持部２１ｂ，２２ｂの間には開口が形成されている。本実施形態におけるイオン発生装置を筺体４０の長手方向から見たとき、支持部２１ｂ，２２ｂの間に設けられた開口から針状電極１１，１２の先端が視認可能である。
【００７７】
（実施の形態８）
図１３は、本発明の実施の形態８によるイオン発生装置を示す斜視図であって、図３と対比される図である。図１３において、このイオン発生装置が図３のイオン発生装置と異なる点は、電極保護部２０の形状が異なる点である。電極保護部２０以外の構成については、実施の形態１におけるイオン発生装置と同様であるため、説明は省略する。
【００７８】
電極保護部２０は、筺体４０の長手方向の一方端部の針状電極１１と、他方端部の針状電極１２が設けられている領域に対応するように１箇所ずつ設けられている。電極保護部は、針状電極１１，１２の先端部の両側で互いに間隔を設けて対向する第１保護部２１および第２保護部２２を有する。第１保護部２１と第２保護部２２とは、筺体４０の短手方向に針状電極１１，１２を挟んで並設されている。第１保護部２１，第２保護部２２は、それぞれ筺体４０から外部に突出しており、針状電極１１，１２よりも外側に突出している。本実施形態における電極保護部２０は、一対の第１保護部２１と第２保護部２２とで、針状電極１１および針状電極１２の両方の電極を一緒に挟み込むように構成されている。
【００７９】
第１保護部２１および第２保護部２２は、それぞれ天板２１ａ，支持部２１ｂおよび天板２２ａ，支持部２２ｂから構成される。天板２１ａ，２２ａは短冊状をなし、天板２１ａ，２２ａの両端から筺体４０の方へそれぞれ支持部２１ｂ，２２ｂが２本ずつ延出している。第１保護部２１ａおよび第２保護部２２ｂは、アーチ状をなしており、２本の支持部２１ｂ，２２ｂの間には開口が形成されている。本実施形態におけるイオン発生装置を筺体４０の短手方向から見たとき、支持部２１ｂ，２２ｂの間に設けられた開口から針状電極１１，１２の先端が視認可能である。
【００８０】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００８１】
１０          イオン発生装置
１１，１２    針状電極
１３，１４    誘導電極
２０          電極保護部
２１          第１保護部
２２          第２保護部
３１，３２    プリント基板
４０          筺体
４１          筺体本体
４２          蓋体
４３          基板設置面
４４          開口部
４５          孔
４６          筺体壁面
４７          壁面
５０          空気清浄機本体
５２          クロスフローファン（送風装置）
【図１】
0006336186.tif 000002
【図２】
0006336186.tif 000003
【図３】
0006336186.tif 000004
【図４】
0006336186.tif 000005
【図５】
0006336186.tif 000006
【図６】
0006336186.tif 000007
【図７】
0006336186.tif 000008
【図８】
0006336186.tif 000009
【図９】
0006336186.tif 000010
【図１０】
0006336186.tif 000011
【図１１】
0006336186.tif 000012
【図１２】
0006336186.tif 000013
【図１３】
0006336186.tif 000014